(57)【特許請求の範囲】
【請求項１】
装置本体に引き出し自在に装着されたシート収納手段にシートを収納し、前記シート収納手段に収納されたシートをシート給送手段により画像形成部に給送する画像形成装置において、
前記装置本体に装着された前記シート収納手段を引き出し方向に付勢する付勢手段と、
前記付勢手段により付勢されるシート収納手段を係止して該シート収納手段を前記シート給送手段によるシート送り出しが可能な位置に保持する係止手段と、
前記係止手段による前記シート収納手段の係止を解除する解除手段と、
前記解除手段を作動させる前記シート収納手段に設けられた作動手段と、
前記シート給送手段によりシートを送り出している間、前記解除手段による前記係止手段の係止解除を不可能とするよう前記係止手段の移動を阻止する解除規制手段と、
を備え、
前記解除規制手段は、前記送り出されるシートにより押圧されて移動するレバーと、前記レバーの移動に連動して前記係止手段の移動を阻止する位置に移動するストッパ部とを有していることを特徴とする画像形成装置。
【請求項２】
前記作動手段を前記シート収納手段の引き出し方向手前側に設けたことを特徴とする請求項１記載の画像形成装置。
【請求項３】
前記係止手段を前記シート給送手段のシート送り出し方向と直交する方向に移動可能に設けたことを特徴とする請求項１又は２記載の画像形成装置。
【請求項４】
前記シート収納手段のシート送り出し方向と直交する方向の位置を調整するよう前記シート送り出し方向と直交する方向に移動可能な移動部材を有する位置調整手段を備え、前記係止手段を前記移動部材に設けたことを特徴とする請求項１乃至３のいずれか１項に記載の画像形成装置。
【請求項５】
前記ストッパ部が係止手段の移動を阻止する位置に移動した際、前記ストッパ部の、前記係止手段の係止解除方向への移動を阻止する阻止部材を備えたことを特徴とする請求項１記載の画像形成装置。
【発明の詳細な説明】
【０００１】
【発明の属する技術分野】
本発明は、画像形成装置に関し、特にシート収納手段を装置本体に引き出し自在に装着したものに関する。
【０００２】
【従来の技術】
従来、複写機やプリンタ等の画像形成装置においては、シート収納手段に収納されたシートをシート給送手段により画像形成部に送り出すようにしたものがある。図７は、このような従来の画像形成装置の一例である複写機の構成を示すものであり、同図において、１は複写機本体、２は複写機本体１の上部に固定して設けられた透明ガラス板からなる原稿台、３は原稿台２の所定の位置に画像面を下向きにして載置された不図示の原稿を押圧固定する原稿圧着板である。
【０００３】
また、１Ａは感光ドラム１２等を備えた画像形成部、１Ｂは複写機本体１にシ引き出し自在に装着されたシート収納手段である給紙トレイ３０に収納されたシートＳを画像形成部１Ａに給送する給紙部である。
【０００４】
なお、原稿台２の下側には原稿を照明するランプ４と、照明した原稿の光像を感光ドラム１２に導くための反射ミラー５，６，７，８，９，１０及び結像レンズ１１とからなる光学系が設けられている。また、ランプ４及び反射ミラー５，６，７は、原稿画像を読み取る際、矢印ａ方向に所定の速度で移動して原稿を走査するようになっている。
【０００５】
ここで、画像形成部１Ａは、感光ドラム１２と、感光ドラム１２の表面に均一な帯電を施すための帯電器１３と、帯電器１３により帯電された感光ドラム１２の表面に光学系から照射される光像により形成された静電潜像を現像してトナー像を形成するための現像器１４と、感光ドラム１２の表面に現像されたトナー像をシートＳに転写するための転写帯電器１９と、感光ドラム１２からトナー像が転写されたシートＳを分離するための分離静電器２０と、トナー像を転写した後、感光ドラム１２に残留したトナーを除去するためのクリーナ２６とを備えている。
【０００６】
そして、このような画像形成部１Ａを備えた複写機において、例えば給紙トレイ３０上のシートＳにコピーする場合、不図示のコピースタートボタンが押されると、シート給送手段であるピックアップローラ３１及び分離ローラ対３２，３３が回転してシートＳが送り出される。そして、この後、このシートＳは搬送ローラ３８によりレジストローラ対４５に搬送され、このレジストローラ対４５により斜送が矯正された後、所定のタイミングで画像形成部１Ａへ送り出され、転写帯電器１９により感光ドラム１２上に形成されたトナー画像が転写される。
【０００７】
なお、画像形成部１Ａの下流側にはトナー像が転写されたシートＳを搬送するための搬送部２１と、搬送部２１により搬送されるシートＳ上の像を永久画像として定着するための定着器２２が設けられており、トナー像が転写されたシートＳは搬送部２１により定着器２２に搬送され、定着器２２においてトナー像が永久画像として定着される。
【０００８】
そして、このようにトナー像が永久画像として定着されたシートＳは排出ローラ対２４により、複写機本体１の外側に設けられた排出トレイ２５上に排出され、コピーが完了する。
【０００９】
ところで、図８は給紙トレイ３０上のシートＳを画像形成部１Ａに給送する給紙装置３６の構成を示す図であり、この給紙装置３６は既述したように給紙トレイ３０に収納されたシートのうちの最上位のシートＳ１を送り出すピックアップローラ３１と、ピックアップローラ３１により送り出されたシートＳを矢印ａ方向へ搬送するフィードローラ３２及びフィードローラ３２に対向配置されて給紙トレイ３０から給送されたシートＳが複数枚の場合にはフィードローラ３２の回転方向と逆方向に回転してシートＳを分離するためのリタードローラ３３とから成る分離ローラ対３２，３３とを備えている。
【００１０】
なお、同図において、４０はフィードローラ３２の回転軸３２ａに回動自在に設けられ、一端にピックアップローラ３１を回転自在に保持しているローラホルダである。また、４１はソレノイドであり、このソレノイド４１のプランジャ４１ａには、一端がローラホルダ４０の回動端の下端に当接しているリンクアーム４２が取り付けられている。
【００１１】
また、同図において、３４はリフタであり、このリフタ３４は給紙トレイ３０に回動自在に軸支され、軸部３４ａを中心に図中右側が不図示のリフタ駆動モータによって上下動されるようになっている。なお、このリフタ３４はシートＳが一定枚数給送され、シート最上面の位置が一定位置よりも下がると、これを検知した不図示のシート検知センサからの検知信号によってリフタ駆動モータが動作することにより、一定量上昇するようになっている。これにより、最上位のシートＳ１は常時ピックアップローラ３１による給送が可能な領域内に保持されるようになる。
【００１２】
次に、このようなピックアップローラ３１及びリフタ３４の動作について説明する。
【００１３】
ピックアップローラ３１は通常同図の実線で示す位置にあり、この位置で不図示の駆動モータにより駆動されて回転し、最上位のシートＳ１を矢印ａ方向に送り出す。そして、この後、給送中のシートＳ１の後端がピックアップローラ３１を通過する前に、ソレノイド４１が作動し、リンクアーム４２が支点４２ａを中心にして反時計回りの方向に揺動する。
【００１４】
これにより、ローラホルダ４０が時計回りの方向に回動し、ピックアップローラ３１をシートＳ１から離間させる。そして、このようにピックアップローラ３１をシートＳ１から離間させることにより、シートＳ１にバックテンションが発生しないようにしている。
【００１５】
一方、ピックアップローラ３１によりシートＳ１が一定枚数給送され、最上位シートＳ１の位置が一定位置以下に下がると、これを検知したシート検知センサからの検知信号によりリフタ駆動モータが動作し、リフタ３４が一定量上昇する。
【００１６】
なお、シート補給等の目的で給紙トレイ３０を複写機本体１から引き出す場合は、ピックアップローラ３１及び不図示のリフタ駆動系は複写機本体１に設けられていることから、給紙トレイ３０の引き出し動作を干渉することのないようピックアップローラ３１は上方に、リフタ３２は下方にそれぞれ図中２点鎖線で示す位置に退避する。
【００１７】
一方、図９は給紙トレイ３０を装着したときの状態を示す複写機本体１の平面断面図であり、同図において、３０ａは給紙トレイ３０のトレイ前カバーであり、３０ｂはトレイ前カバー３０ａに設けられた把手である。また、３５は給紙トレイ３０の前端側部に設けられた位置決めピンである。
【００１８】
また、５０は位置決めピン３５を係止して給紙トレイ３０をピックアップローラ３１によるシート送り出し位置に保持する係止手段であるフック、５２は本体前側板１０９に固定されたフック台、５１はフック台５２に対してシート送り出し方向と直交する方向である本体前奥方向に移動可能に取り付けられた移動部材である給紙トレイ前奥方向位置調整板（以下、位置調整板という）であり、この位置調整板５１に設けた軸５１Ｐを介してフック５０は位置調整板５１に回動自在に支持されている。
【００１９】
なお、５３はフック５０と位置調整板５１との間に取り付けられたフック付勢バネであり、このフック付勢バネ５３によりフック５０は、回動端に設けられた爪５０ａが給紙トレイ３０の位置決めピン３５に係止するよう図中時計回り方向に付勢されている。また、給紙トレイ３０は奥側が本体後側板１０８に設けられた２個の付勢手段である圧縮バネ１０６によって引き出し方向である前方向に付勢されている。そして、これらフック５０及び圧縮バネ１０６の作用により給紙トレイ３０は複写機本体１に対して固定支持される。
【００２０】
ところで、給紙トレイ３０や、図７に示した感光ドラム１２及び現像器１４、各種光学系４〜１１は、前奥方向において各々を単純に複写機本体１に対して一定位置に固定すると正確な位置合わせを行うことは困難であることから、給紙トレイ３０は、前奥方向を光学系に対して調整することができるよう前奥方向に位置調整可能となっている。
【００２１】
ここで、図１０はこのように給紙トレイ３０の前奥方向位置調整を行う位置調整手段の構成について説明する図である。同図において、５４２は段ビス、５４１は固定ビスであり、これら段ビス５４２、固定ビス５４１は位置調整板５１をはさんでフック台５２に固定されている。
【００２２】
そして、フック台５２に対して位置調整板５１を前奥方向に移動する場合、例えば位置調整板５１を前方に移動させる場合には、同図の（ａ）に示す状態において固定ビス５４１を緩め、位置調整板５１を矢印に移動して（ｂ）に示す位置とした後、固定ビス５４１を締めるようにする。なお、このように位置調整板５１を移動すると、この位置調整板５１の移動に伴いフック５０及び給紙トレイ３０、給紙トレイ内のシート束Ｓが本体前方向に移動する。
【００２３】
ところで、このように位置調整された給紙トレイ３０を、例えばシート補給のため給紙トレイ３０を引き出す場合は、把手３０ｂをつかみ手前側へ引きだすが、このように給紙トレイ３０を引き出す際、引き出し方向に力を加えると、図１１の（ａ）に示すように位置決めピン３５に係止していたフック５０は反時計回り方向の回転力を受けるようになり、やがて位置決めピン３５から外れる。
【００２４】
そして、このようにフック５０が外れると、（ｂ）に示すように給紙トレイ３０はその奥側の圧縮バネ１０６の力にも助けられて前方向へ引き出される。なお、このように給紙トレイ３０が引き出された場合、フック５０は不図示ストッパ部材とバネ５３によって（ａ）に示す位置、またはこの位置よりもさらに時計回り方向に回動した位置で保持される。
【００２５】
一方、シートＳを補給した後、給紙トレイ３０を複写機本体内に押し込む場合、給紙トレイ３０を押し込むと、まず位置決めピン３５がフック５０の前側斜面５０Ｓに当たり、さらに給紙トレイ３０を押し込むとフック５０をフック付勢バネ５３の力に抗して反時計回り方向に回動させる。
【００２６】
そして、この後、位置決めピン３５がフック５０の爪５０ａを通過すると、フック付勢バネ５３によりフック５０が時計回り方向に回動し、再度（ａ）に示したようにフック５０が位置決めピン３５に係合し、これにより給紙トレイ３０が複写機本体１に対して位置決めされる。
【００２７】
ところで、ユーザーが給紙トレイ３０にシートＳを補給する際、既述したようにフック５０を外しながら給紙トレイ３０を引き出す必要があり、このため給紙トレイ３０の引出しには大きな力が必要である。
【００２８】
ここで、この力を小さくするため図９に示したトレイ奥側を前方向に付勢する圧縮バネ１０６や、フック付勢バネ５３の付勢力を小さくすると、給紙トレイ３０の引出しは容易になるが、給紙トレイ３０を引き出す必要のない場合、例えばシート給送動作中にも、ちょっとした振動等で給紙トレイ３０が飛び出す場合がある。
【００２９】
そして、このようにに給紙トレイ３０が誤って飛び出した場合、シートＳがせん断され、紙詰まりとなってしまい、更には複写機本体を破損する場合もあり得る。なお、これを防止するために、装置が動作している間、電気的に規制部材を動作させて給紙トレイ３０が飛び出すのを防止する方法もあるが、この場合には装置のコストアップの原因となってしまう。
【００３０】
そこで、従来は、直接ユーザーが給紙トレイ３０を引き出すのではなく、小さな力で給紙トレイ３０を引き出すことができ、また必要がない場合には給紙トレイ３０が飛び出すことのないよう例えば、図１２に示すように本体前側に設けた本体前カバー１０Ｃに押しボタン１０Ｂを設け、この押しボタン１０Ｂの操作により給紙トレイ３０を引き出すことができるように構成した画像形成装置がある。
【００３１】
図１３は、このような構成の画像形成装置の構成を示す図である。同図において、１０Ａは本体前（右）カバー１０Ｃに形成されたボタン用の穴であり、この穴１０Ａにはユーザーが押す部分１０ａとボス部１０ｂを備えたボタン１０Ｂが装着されている。なお、このボタン１０Ｂは圧縮バネ１０Ｄにより前方向に付勢されると共に、不図示の係止手段によって本体前（右）カバー１０Ｃから抜けないように係止されている。
【００３２】
また、５４は位置調整板５１に設けた軸５４Ｐを中心に位置調整板５１に回動可能に支持されたカムであり、このカム５４は２つのカム斜面５４ａ，５４ｂを有している。ここで、このカム５４は給紙トレイ３０が装置本体内に収容されている場合、（ａ）に示すように一方のカム斜面５４ａがボタン１０Ｂのボス部と接触する位置、または近傍にあり、反対側の斜面５４ｂはフック５０に一体成形されたピン５０Ｐに接触する位置、または近傍に位置している。なお、フック５０は、既述した図９に示すようにフック台５２、位置調整坂５１により前奥方向の位置が調整可能に支持されている。
【００３３】
そして、このように構成された画像形成装置において、給紙トレイ３０を引き出すため、カム５４を作動させる作動手段であるボタン１０Ｂを圧縮バネ１０Ｄの力に抗して本体奥方向へ押した場合、図１３の（ｂ）に示すようにボタン１０Ｂのボス部１０ｂにより押圧されてカム５４が軸５４Ｐを中心に時計回りに回動する。そして、このようにカム５４が回動すると、カム５４の斜面５４ｂがフックピン５０Ｐを押圧し、この結果、フック５０はフック付勢バネ５３に抗して軸５１Ｐを中心に反時計回りに回動する。
【００３４】
これにより、給紙トレイ３０の位置決めピン３５に対する係止が解除される。このとき、給紙トレイ３０は奥側が圧縮バネ１０６で前方向に押されているので（図９参照）、給紙トレイ３０は瞬間に前方向に押し出される。そして、このように給紙トレイ３０が前方向に押し出された後、ユーザーは給紙トレイ３０に設けられた把手３０ｂ（図９参照）をつかみ給紙トレイ３０をシートを補給するのに十分な位置まで引き出すことになる。
【００３５】
【発明が解決しようとする課題】
ところが、このようなボタン１０Ｂを用いて給紙トレイ３０を引き出すようにした従来の画像形成装置においては、間違って給紙トレイ３０を引き出すことは防ぐことができるが、ボタン１０Ｂを本体側に設けているので、位置調整板５１を調整した場合、ボタン１０Ｂのボス部１０ｂとカム５４との位置関係を保つためにはカム５４だけでなくボタン１０Ｂの前奥方向の位置を同様に移動させなければならない。
【００３６】
ここで、ボタン１０Ｂは本体側に設けられているので移動させることは困難である。したがって、ボタン位置を移動させないようにするためにはフック５０の位置を移動させないようにしなければならないが、このようにフック５０の位置を移動させないようにした場合、フック５０は給紙トレイ３０を係止することはできるが、位置決めを行うことが出来なくなる。
【００３７】
即ち、トレイ係止手段と位置決め手段とを兼ねていたフック５０はトレイ係止手段と位置決め手段とを兼ねることができなくなり、この場合は位置決め手段を兼ねることができなくなるため、新たに位置決め手段を設けなければならず部品点数を増やし、コストアップの原因となってしまう。
【００３８】
そこで、本発明はこのような現状に鑑みてなされたものであり、給紙トレイ（シート収納手段）の位置調整を行った場合でも、フック（係止手段）による給紙トレイの係止及び位置決めを行うことのできる画像形成装置を提供することを目的とするものである。
【００３９】
【課題を解決するための手段】
本発明は、装置本体に引き出し自在に装着されたシート収納手段にシートを収納し、前記シート収納手段に収納されたシートをシート給送手段により画像形成部に給送する画像形成装置において、前記装置本体に装着された前記シート収納手段を引き出し方向に付勢する付勢手段と、前記付勢手段により付勢されるシート収納手段を係止して該シート収納手段を前記シート給送手段によるシート送り出しが可能な位置に保持する係止手段と、前記係止手段による前記シート収納手段の係止を解除する解除手段と、前記解除手段を作動させる前記シート収納手段に設けられた作動手段と、前記シート給送手段によりシートを送り出している間、前記解除手段による前記係止手段の係止解除を不可能とするよう前記係止手段の移動を阻止する解除規制手段と、を備え、前記解除規制手段は、前記送り出されるシートにより押圧されて移動するレバーと、前記レバーの移動に連動して前記係止手段の移動を阻止する位置に移動するストッパ部とを有していることを特徴とするものである。
【００４０】
また本発明は、前記作動手段を前記シート収納手段の引き出し方向手前側に設けたことを特徴とするものである。
【００４１】
また本発明は、前記係止手段を前記シート給送手段のシート送り出し方向と直交する方向に移動可能に設けたことを特徴とするものである。
【００４２】
また本発明は、前記シート収納手段のシート送り出し方向と直交する方向の位置を調整するよう前記シート送り出し方向と直交する方向に移動可能な移動部材を有する位置調整手段を備え、前記係止手段を前記移動部材に設けたことを特徴とするものである。
【００４６】
また本発明は、前記ストッパ部が係止手段の移動を阻止する位置に移動した際、前記ストッパ部の、前記係止手段の係止解除方向への移動を阻止する阻止部材を備えたことを特徴とするものである。
【００４７】
【発明の実施の形態】
以下、本発明の実施の形態について説明する。
【００４８】
図１は本発明の第１の実施の形態に係る画像形成装置の給紙トレイを装着した状態を示す平面断面図、図２は画像形成装置の給紙トレイを装着した状態を示す要部側面断面図である。なお、図１及び図２において、図９及び図１０と同一符号は、同一又は相当部分を示している。
【００４９】
図１及び図２において、３２２は給紙トレイ３０の引き出し方向手前側の側面である前面を構成するトレイ前カバー３０ａに形成されたボタン用穴であり、このボタン用穴３２２に、ユーザーが押す部分６０ａと後述するカム６２を押すボス部６０ｂから成る作動手段であるボタン６０が装着されている。そして、このボタン６０は圧縮バネ６１に前方向へ付勢されて不図示の係止手段によってトレイ前カバー３０ａから抜けないように規制されている。即ち、ボタン６０は給紙トレイ３０に取り付けられている。
【００５０】
また、５０Ａは給紙トレイ３０を係止して給紙トレイ３０をピックアップローラ３１によるシート送り出しが可能な位置に保持する係止手段であるフックであり、このフック５０Ａには押圧壁５０１が設けられている。
【００５１】
さらに、６２はボタン６０とフック５０Ａとの間に配置され、フック５０Ａによる係止を解除する解除手段であるカムであり、このカム６２はトレイ前カバー３０ａに設けた軸６２Ｐを中心に回動するようになっている。ここで、このカム６２にはフック５０Ａの押圧壁５０１を押圧する斜面６２Ｓが形成されており、ボタン６０が押されてカム６２が図２において２点鎖線で示すように回動すると、このカム６２の斜面６２Ｓがフック５０Ａの押圧壁５０１を押圧するようになっている。
【００５２】
この結果、それまで図３の（ａ）に示すように位置決めピン３５を係止していたフック５０Ａがカム６２の斜面６２Ｓに沿って押圧壁５０１を移動させながら反時計回り方向に回動する。これにより、（ｂ）に示しようにフック５０Ａによる位置決めピン３５の係止が解除され、圧縮バネ１０６により給紙トレイ３０が押し出されるようになる。
【００５３】
このように、給紙トレイ３０の前面に設けられたボタン６０をユーザーが操作することにより、フック５０Ａによる位置決めピン３５の係止を解除することができ、簡単な構成でユーザーが給紙トレイ３０を引き出すことができる。
【００５４】
ところで、本実施の形態のようにボタン６０及びカム６２を給紙トレイ３０（トレイ前カバー３０ａ）に取り付けるようにすることにより、給紙トレイ３０の前奥方向を調整するために位置調整板５１を移動させる際、位置調整板５１と共にフック５０Ａの位置を移動しても、給紙トレイ３０と共に押しボタン６０も移動するので、フック５０Ａの位置を移動しても図３の（ａ）に示すようにボタン６０とフック５０Ａの位置関係が変わらないようにすることができる。
【００５５】
即ち、給紙トレイ３０の位置調整を行ってもボタン６０を移動させる必要がなくなるため、位置調整板５１と共にフック５０Ａを移動させることが可能となり、これによりフック５０Ａが移動しても、フック５０Ａはトレイ係止手段と位置決め手段を兼ねることができるようになる。
【００５６】
さらに、本実施の形態のように給紙トレイ３０の前面（トレイ前カバー３０ａ）にボタン６０を設けるようにすることにより、例えば図１３に示すように装置本体にボタン１０Ｂを設ける場合に比べてボタン１０Ｂを装置中央側に設けることが可能となる。これにより、装置本体の横方向の寸法が小さくなり、装置の大型化を防止することができる。
【００５７】
次に、本発明の第２の実施の形態について説明する。
【００５８】
図４は本実施の形態に係る画像形成装置の給紙部の構成を示す概略断面図、図５はその右側面図、図６はその上視図である。なお、図４〜図６において、図１、図２及び図８と同一符号は、同一又は相当部分を示している。
【００５９】
図４〜図６において、７０は給紙トレイ３０と分離ローラ対３２，３３の間に設けられ、ピックアップローラ３１により送り出されるシートＳにより押されて倒れるレバーであり、このレバー７０の軸７０Ｐは図５に示すように給紙トレイ３０に一体に設けられた軸受け部３０ｄに軸支され、シート搬送領域から手前側へ伸び本体前側板１０９を貫通している。さらに、このレバー７０の手前側端部には作動部７０Ａが設けられている。
【００６０】
一方、７１はフック台５２または位置調整板５１に回動自在に支持されたストッパ部である規制レバーであり、この規制レバー７１は作動部７０Ａの回動により回動軸７１Ｐを支点として反時計回りに回動して図６に示すようにフック５０Ａの押圧壁５０１の側方に移動し、フック５０Ａの反時計回りの回動を阻止するようになっている。なお、この規制レバー７１とレバー７０とにより、フック５０Ａの係止解除を不可能とする解除規制手段が構成される。
【００６１】
なお、同図において、７３はフック台５２または位置調整板５１に設けられた阻止部材であるバックアップ部材であり、フック５０Ａの押圧壁５０１の側方に移動した際、このバックアップ部材７３と押圧壁５０１との間に規制レバー７１は位置するようになる。
【００６２】
これにより、カム６２の作用によりフック５０Ａに回動力が生じ、この回動力によって規制レバー７１が押圧されても、バックアップ部材７３により規制レバー７１が支えられるようになるため、バックアップ部材７３の、フック５０Ａの係止解除方向への移動が阻止される。これにより、規制レバー７１は破損されることなく確実にフック５０Ａの動作を規制することができる。
【００６３】
そして、このようにシートＳが給送される際、レバー７０が図中時計回り方向に回動（移動）し、これに伴い図６に示すように規制レバー７１がフック５０Ａの押圧壁５０１とバックアップ部材７３との間に移動してフック５０Ａの反時計回りの回動を阻止ことにより、給紙トレイ３０がシート給送中に引き出されるのを防ぐことができる。
【００６４】
なお、本実施の形態のように構成した場合、シートの通過の検出及びトレイ引き出し動作の規制に電気部品を使用することはないので構成を簡単にすることができ、更にコストの低減を図ることができる。
【００６５】
【発明の効果】
以上述べたように本発明のように、係止手段によるシート収納手段の係止を解除する解除手段を作動させる作動手段をシート収納手段に設けることにより、係止手段が移動した場合でも、係止手段による給紙トレイの係止及び位置決めを行うことができる。
【図面の簡単な説明】
【図１】本発明の第１の実施の形態に係る画像形成装置の給紙トレイを装着したときの状態を示す平面断面図。
【図２】上記画像形成装置の給紙トレイを装着した状態を示す要部側面断面図。
【図３】上記給紙トレイの引き出し及び押し込みの際のフック等の動作について説明する図。
【図４】本発明の第２の実施の形態に係る画像形成装置の給紙部の構成を示す概略断面図。
【図５】上記画像形成装置の給紙部の側面図。
【図６】上記画像形成装置の給紙部の上視図。
【図７】従来の画像形成装置の一例である複写機の概略断面図。
【図８】上記従来の複写機に設けられた給紙装置の構成を示す図。
【図９】上記従来の複写機の給紙トレイを装着したときの状態を示す平面断面図。
【図１０】上記給紙トレイの前奥方向位置調整を行う位置調整手段の構成について説明する図。
【図１１】上記給紙トレイの引き出し及び押し込みの際のフック等の動作について説明する図。
【図１２】従来の他の画像形成装置の斜視図。
【図１３】上記従来の他の画像形成装置の給紙トレイの引き出し及び押し込みの際のフック等の動作について説明する図。
【符号の説明】
１          複写機本体
１Ａ        画像形成部
３０        給紙トレイ
３０ａ      トレイ前カバー
３１        ピックアップローラ
５０Ａ      フック
５１        位置調整板
６０        ボタン
６２        カム
７０        レバー
７１        規制レバー
７３        バックアップ部材
１０６      圧縮バネ
【図１】
0003599658.tif 000002
【図２】
0003599658.tif 000003
【図３】
0003599658.tif 000004
【図４】
0003599658.tif 000005
【図５】
0003599658.tif 000006
【図６】
0003599658.tif 000007
【図７】
0003599658.tif 000008
【図８】
0003599658.tif 000009
【図９】
0003599658.tif 000010
【図１０】
0003599658.tif 000011
【図１１】
0003599658.tif 000012
【図１２】
0003599658.tif 000013
【図１３】
0003599658.tif 000014